(57)【要約】  パレット乾燥装置は、フォークを挿入するためのフォーク差し込み穴を側面に有すると共に、フォーク差し込み穴と連通した開口を下面に有するパレットの洗浄後の乾燥を促進するパレット乾燥装置であって、開口を機械的に塞ぐように乾燥対象のパレットを載置可能なパレット載置手段と、フォーク差し込み穴内に向けて空気を送り込む送風手段とを備える。パレットは、下面の開口が塞がれた状態で載置されると共にフォーク差し込み穴に向けて空気が送り込まれるので、フォーク差し込み穴の内部に吹き込まれた空気は、開口から排出されない。従って、フォーク差し込み穴の内部の乾燥が促進される。
2012160685.tif 000002
【特許請求の範囲】
【請求項１】
フォークを挿入するためのフォーク差し込み穴を側面に有すると共に、前記フォーク差し込み穴と連通した開口を下面に有するパレットの洗浄後の乾燥を促進するパレット乾燥方法であって、
前記開口を機械的に塞ぐように乾燥対象の前記パレットを所定位置に載置するパレット載置工程と、
前記フォーク差し込み穴内に向けて空気を送り込む送風工程と
を有するパレット乾燥方法。
【請求項２】
前記パレット載置工程は、パレットを段積みする装置であるスタッカにより複数のパレットを段積みし、前記乾燥対象のパレットの下段に段積みされたパレットの上面により前記乾燥対象のパレットの前記開口を塞ぐ、
請求項１に記載のパレット乾燥方法。
【請求項３】
前記パレット載置工程は、
パレットが載置される載置面を有するテーブル部と、前記テーブル部を昇降可能な動力源とを有するリフタにおける前記テーブル部に前記乾燥対象のパレットを載置し、前記テーブル部の前記載置面により前記乾燥対象のパレットの前記開口を塞ぐ、
請求項１に記載のパレット乾燥方法。
【請求項４】
前記送風工程は、
熱源により熱せられた空気を前記フォーク差し込み穴内に向けて送り込む、
請求項１〜３のいずれか１項に記載のパレット乾燥方法。
【請求項５】
フォークを挿入するためのフォーク差し込み穴を側面に有すると共に、前記フォーク差し込み穴と連通した開口を下面に有するパレットの洗浄後の乾燥を促進するパレット乾燥装置であって、
前記開口を機械的に塞ぐように乾燥対象の前記パレットを載置可能なパレット載置手段と、
前記フォーク差し込み穴内に向けて空気を送り込む送風手段と、
を備えるパレット乾燥装置。
【請求項６】
前記パレット載置手段は、
パレットを段積みする装置であるスタッカにより構成され、前記乾燥対象のパレットの下段に段積みされたパレットの上面により前記乾燥対象のパレットの前記開口を塞ぐ、
請求項５に記載のパレット乾燥装置。
【請求項７】
前記パレット載置手段は、
パレットが載置される載置面を有するテーブル部と、前記テーブル部を昇降可能な動力源とを有するリフタを含み、
前記テーブル部の前記載置面により前記乾燥対象のパレットの前記開口を塞ぐ、
請求項５に記載のパレット乾燥装置。
【請求項８】
前記送風手段は、
空気を熱するための熱源と、
前記熱源により熱せられた空気を熱風として送出する送風部と、
前記送風部により送出された熱風の流路を形成すると共に、熱風の吐出口を前記フォーク差し込み穴内に向けて設けられたダクトとを含む、
請求項５〜７のいずれか１項に記載のパレット乾燥装置。
【請求項９】
パレットを洗浄するためのパレット洗浄装置であって、
パレットを水洗する洗浄部と、
前記洗浄部の後段に設けられた、請求項５〜８のいずれか１項に記載のパレット乾燥装置と、
前記洗浄部において洗浄されたパレットを前記パレット乾燥装置の前記パレット載置手段に搬送する搬送部と
を備えるパレット洗浄装置。
【発明の詳細な説明】
【技術分野】
【０００１】
本発明は、パレット乾燥方法、パレット乾燥装置及びパレット洗浄装置に関するものである。
【背景技術】
【０００２】
種々の業種における物品の輸送にプラスチック等の樹脂により形成されたパレットが用いられている。パレットは繰り返し使用されるものであるので、一定回数使用されたパレットを洗浄する必要がある。樹脂製のパレットは、例えば、水や洗浄液等により洗浄される。洗浄されたパレットを再び使用するためには、パレットを乾燥させなくてはならない。従来のパレットの洗浄工程では、例えば、ブロワによりパレットに残留する水を除去することにより、パレットの乾燥を促進していた。また、高温の空気をブロワでパレットに吹き付けることによりパレットの乾燥を促進する方法、及び洗浄水を加温することにより洗浄後の乾燥を促進させる方法も知られている。また、パレットを遠心回転させて脱水させた後に、熱風によりパレットを乾燥させるパレット洗浄システムが知られている（例えば、特許文献１参照）。
【先行技術文献】
【特許文献】
【０００３】
【特許文献１】特開２０１０−１２５３８８号公報
【発明の概要】
【発明が解決しようとする課題】
【０００４】
パレットは、フォークを挿入するためのフォーク差し込み穴を有しており、洗浄後には、このフォーク差し込み穴の内部も確実に乾燥させる必要がある。従来の方法では、ブロワからの温風をパレット全体に対して吹き付けていたので、フォーク差し込み穴の内部は、十分に乾燥されなかった。また、パレット全体に対して温風を当てていたので、温風を吹き付けるためのブロワ、及び空気を熱するための熱源には、大型の装置が必要であった。このため、これらの装置の稼働には多くのエネルギーが必要とされると共に、多くのコストが必要であった。また、フォーク差し込み穴の内部に送り込まれた温風は、フォーク差し込み穴と連通した開口から排出されてしまい、乾燥し難かった。【０００５】
一方、パレットを遠心回転させて脱水させる方法では、パレットを回転させる動力源のためのエネルギー消費量が大きいので、そのコストが大きい上に、大きな重量を有するパレットの回転を急加速及び急減速するため、パレットを回転させる装置に対するダメージが大きくなり、その保守コストがかさむ。また、かかる方法では、フォーク差し込み穴の内部は十分に乾燥されない。【０００６】
また、加温された洗浄水によりパレットを洗浄する方法にあっては、洗浄水の加温のための加熱装置、洗浄水をリサイクルするための循環装置及び濾過装置等のイニシャルコスト及びランニングコストが大きい。【０００７】
そこで、本発明は、上記の問題点に鑑みてなされたものであり、洗浄されたパレットのフォーク差し込み穴の内部を確実且つ低エネルギー及び低コストで乾燥させることが可能なパレット乾燥方法、パレット乾燥装置及びパレット洗浄装置を提供することを目的とする。
【課題を解決するための手段】
【０００８】
本発明のパレット乾燥方法は、フォークを挿入するためのフォーク差し込み穴を側面に有すると共に、フォーク差し込み穴と連通した開口を下面に有するパレットの洗浄後の乾燥を促進するパレット乾燥方法であって、開口を機械的に塞ぐように乾燥対象のパレットを所定位置に載置するパレット載置工程と、フォーク差し込み穴内に向けて空気を送り込む送風工程とを有する。【０００９】
本発明のパレット乾燥装置は、フォークを挿入するためのフォーク差し込み穴を側面に有すると共に、フォーク差し込み穴と連通した開口を下面に有するパレットの洗浄後の乾燥を促進するパレット乾燥装置であって、開口を機械的に塞ぐように乾燥対象のパレットを載置可能なパレット載置手段と、フォーク差し込み穴内に向けて空気を送り込む送風手段とを備える。【００１０】
本発明のパレット乾燥方法及びパレット乾燥装置では、乾燥対象のパレットは、下面の開口が塞がれた状態で載置されると共にフォーク差し込み穴に向けて空気が送り込まれるので、フォーク差し込み穴の内部に吹き込まれた空気は、開口から排出されない。これにより、フォーク差し込み穴の内部の乾燥が促進される。また、パレットに向けて送り込まれた空気は、パレット全体ではなく、フォーク差し込み穴に向けて発生されるので、空気を送り込むための装置の小型化が可能になる。従って、パレットの乾燥のためのエネルギー及びコストを削減できる。【００１１】
また、本発明のパレット乾燥装置では、パレット載置手段は、パレットを段積みする装置であるスタッカにより構成され、乾燥対象のパレットの下段に段積みされたパレットの上面により乾燥対象のパレットの開口を塞ぐこととしてもよい。【００１２】
また、本発明のパレット乾燥方法では、パレット載置工程は、パレットを段積みする装置であるスタッカにより複数のパレットを段積みし、乾燥対象のパレットの下段に段積みされたパレットの上面により乾燥対象のパレットの開口を塞ぐこととしてもよい。【００１３】
上記方法及び装置によれば、スタッカに段積みされたパレットのうちの、乾燥対象のパレットの下段に位置するパレットの上面により、乾燥対象のパレットの開口が塞がれる。これにより、パレットの取り扱いのために通常に用いられる装置の他に特段の構成を必要とすることなく、パレットの下面の開口が確実に塞がれる。【００１４】
また、本発明のパレット乾燥装置では、パレット載置手段は、パレットが載置される載置面を有するテーブル部と、テーブル部を昇降可能な動力源とを有するリフタを含み、テーブル部の載置面により乾燥対象のパレットの開口を塞ぐこととしてもよい。【００１５】
また、本発明のパレット乾燥方法では、パレット載置工程は、パレットが載置される載置面を有するテーブル部と、テーブル部を昇降可能な動力源とを有するリフタにおけるテーブル部に乾燥対象のパレットを載置し、テーブル部の載置面により乾燥対象のパレットの開口を塞ぐ。【００１６】
上記方法及び装置によれば、リフタのテーブル部の上面により、乾燥対象のパレットの開口が塞がれる。これにより、パレットの取り扱いのために通常に用いられる装置の他に特段の構成を必要とすることなく、パレットの下面の開口が確実に塞がれる。【００１７】
また、本発明のパレット乾燥方法では、送風工程は、熱源により熱せられた空気をフォーク差し込み穴内に向けて送り込むこととしてもよい。この場合には、熱源により熱せられた空気が熱風としてフォーク差し込み穴内に向けて送り込まれるので、フォーク差し込み穴が効率的に乾燥される。【００１８】
また、本発明のパレット乾燥装置では、送風手段は、空気を熱するための熱源と、熱源により熱せられた空気を熱風として送出する送風部と、送風部により送出された熱風の流路を形成すると共に、熱風の吐出口をフォーク差し込み穴内に向けて設けられたダクトとを含んでもよい。【００１９】
上記構成によれば、熱源により熱せられた空気が熱風として送出され、送出された熱風がダクトによりフォーク差し込み穴に誘導されるので、確実にフォーク差し込み穴に向けた熱風を発生できる。【００２０】
また、本発明のパレット洗浄装置は、パレットを洗浄するためのパレット洗浄装置であって、パレットを水洗する洗浄部と、洗浄部の後段に設けられた、上記のパレット乾燥装置と、洗浄部において洗浄されたパレットをパレット乾燥装置のパレット載置手段に搬送する搬送部とを備える。【００２１】
上記パレット乾燥装置を洗浄部の後段に設けることにより、洗浄されたパレットをパレット乾燥装置で確実に乾燥できるので、好適なパレット洗浄装置を構成できる。
【発明の効果】
【００２２】
本発明によれば、洗浄されたパレットのフォーク差し込み穴の内部を確実且つ低エネルギー及び低コストで乾燥させることが可能となる。
【図面の簡単な説明】
【００２３】
【図１】図１は、パレット乾燥装置の概略側面図である。
【図２】図２は、パレットの斜視図である。
【図３】図３（ａ）は、図２における矢印Ａの方向から見たパレットの側面図である。図３（ｂ）は、図２における矢印Ｂの方向から見たパレットの側面図である。図３（ｃ）は、図２における矢印Ｃの方向から見たパレットの下面図である。
【図４】送風手段の概略側面図である。
【図５】図４に示すダクトを拡大して示す図である。
【図６】スタッカに載置されたパレットを示す側面図である。
【図７】図７（ａ）は、リフタに載置されたパレットを、フォーク差し込み穴の貫通方向に沿って見た側面図である。図７（ｂ）は、リフタに載置されたパレットを、フォーク差し込み穴の貫通方向と直行する方向に沿って見た側面図である。
【図８】パレット洗浄装置の斜視図である。
【発明を実施するための形態】
【００２４】
以下、図面を参照して、本発明の一実施形態に係るパレット乾燥装置について詳細に説明する。なお、全図中、同一又は相当部分には同一符号を付すこととする。
【００２５】
本実施形態のパレット乾燥装置１を図１に示す。図１は、パレット乾燥装置１の概略側面図である。パレット乾燥装置１は、洗浄されたパレットの乾燥を促進する装置である。本実施形態における乾燥の対象のパレットは、フォークを挿入するためのフォーク差し込み穴を側面に有すると共に、フォーク差し込み穴と連通した開口を下面に有する。パレット乾燥装置１は、図１に示すように、送風手段２及びスタッカ４を含む。
【００２６】
まず、送風手段２の説明に先立って、スタッカ４について説明する。スタッカ４は、パレットＰを段積みする装置であって、乾燥対象のパレットを載置するためのパレット載置手段を構成することができる。
【００２７】
図１に示すように、スタッカ４は、パレット段積み部４０及びパレット受入部４１を備える。パレット段積み部４０は、段積みされたパレットを支持する機構を有する。また、パレット段積み部４０は、パレット受入部４１により上昇されたパレットＰを既に支持していたパレットＰの下側に重ねながら支持することにより、パレットＰを更に段積みすることができる。パレット受入部４１は、洗浄されたパレットＰを受け入れる部分であると共に、受け入れたパレットを載置する部分である。また、パレット受入部４１は、載置されたパレットＰを支持しながらパレット段積み部４０におけるパレットの支持位置まで上昇させる機構を有する。なお、本実施形態のスタッカ４は、当業者において周知のスタッカにより構成されることが可能であって、図示した態様のものに限定されない。
【００２８】
次に、図２を参照して、本実施形態における洗浄及び乾燥の対象であるパレットＰの一例について説明する。図２は、パレットＰの斜視図である。図２に示すように、パレットＰは、荷物を載せるための略正方形の主面を構成する上面デッキ部Ｐ１、主面に対向する略正方形の下面を構成する下面デッキ部Ｐ５、及び上面デッキ部Ｐ１と下面デッキ部Ｐ５とを連結するけた部Ｐ２を有する。また、パレットＰには、けた部Ｐ２により形成される少なくとも一対の対向する側面Ｐ３間を貫通するフォーク差し込み穴Ｐ４が設けられている。
【００２９】
続いて図３を参照して、パレットＰについて更に説明する。図３（ａ）は、図２における矢印Ａの方向から見たパレットの側面図である。図３（ｂ）は、図２における矢印Ｂの方向から見たパレットの側面図である。図３（ｃ）は、図２における矢印Ｃの方向から見たパレットの下面図である。図３（ａ）〜（ｃ）に示すように、パレットＰは、下面に４つの開口Ｐ６を有する。開口Ｐ６は、略正方形状であって、フォーク差し込み穴Ｐ４と連通している。図３に示す例では、一のフォーク差し込み穴Ｐ４に対して２つの開口Ｐ６が連通するように設けられている。
【００３０】
次に、図４を参照して、送風手段２について詳細に説明する。図４に示すように、送風手段２は、熱風発生装置２０及びダクト２１を含む。熱風発生装置２０は、ヒータ及び送風機により構成される。ヒータは、空気を熱するための熱源を構成する。また、送風機は、ヒータにより熱せられた空気を熱風として送出する。なお、本実施形態では、送風手段２は、フォーク差し込み穴Ｐ４の内部に熱風を送り込むこととしているが、熱風に代えて常温の空気を送り込む態様であってもよい。即ち、送風手段２は、熱源を有さなくてもよい。
【００３１】
熱風発生装置２０には、例えば、サンポット社製ＢＲ−１２１Ｊ（商品名）を用いることができる。この装置は、８．７２〜１４ｋｗの熱出力を有し、３．７〜５．４ｍ３／ｍｉｎの熱風を発生する。パレット全体に対して温風を当てる従来の方法では、例えば、数百ｋｗの熱出力を有するボイラーにより熱せられた空気をパレット全体に吹き付けていた。一方、本実施形態では、フォーク差し込み穴Ｐ４の両端から熱風が吹き込まれるので、パレット乾燥装置１は、４台の熱風発生装置２０を有する。従って、本実施形態のパレット乾燥装置１に含まれる熱風発生装置２０の熱出力は、６０ｋｗ未満となる。従って、本実施形態のパレット乾燥装置１を用いたパレット乾燥方法では、従来の方法と比較して、必要とされる熱出力が少ない。これにより、本実施形態では、従来と比較して、送風手段２を小型化できると共に、低エネルギー及び低コストでパレットを乾燥させることが可能である。なお、熱風発生装置２０は、本実施形態のヒータと同程度の熱出力を有するボイラーと送風機とにより構成されてもよい。
【００３２】
ダクト２１は、筒状を呈しており、熱風発生装置２０により送出された熱風の流路を形成する。なお、ダクト２１は、外面を覆うように設けられた断熱材を有することとしてもよい。断熱材を設けることにより、熱風発生装置２０からの熱風の温度の低下を防止することができる。
【００３３】
熱風発生装置２０は、図４に示すように、台部２２の上に備えられることとしてもよい。台部２２は、脚部にキャスター２２ａを有する。送風手段２は、キャスター２２ａにより、自在に移動できるので、パレット乾燥装置１のメンテナンスを容易に実施できる。
【００３４】
続いて、図５を参照して、ダクト２１を詳細に説明する。図５は、図４に示すダクト２１を拡大して示す図である。図５に示すように、ダクト２１は、熱風の吐出口である端部２１ａをフォーク差し込み穴Ｐ４内に向けて設けられている。なお、ダクト２１の端部２１ａの、フォーク差し込み穴Ｐ４に対する位置合わせは、台部２２の高さ及びダクト２１の形状により調整される。また、ダクト２１の他端部２１ｂは、熱風発生装置２０における熱風の送出口に近接されている。なお、ダクト２１の他端部２１ｂは、熱風発生装置２０における熱風の送出口に連結されていてもよい。ダクト２１の他端部２１ｂにおける断面形状は、熱風を効率よく誘導するために、熱風発生装置２０における熱風の吐出口の断面形状に対応する形状であることが好ましい。また、ダクト２１により形成される空気（熱風）の流路の長さは、温度の低下を防止するために、パレット乾燥装置１を構成するための配置の制限内において可能な限り短いことが好ましい。
【００３５】
図６は、スタッカ４に載置されたパレットＰを示した側面図である。図６に示すように、乾燥対象のパレットＰＴは、他の複数のパレットと共にスタッカ４により段積みされている。また、パレットＰＴは、パレットＰＴの下段に段積みされたパレットＰＢ上に載置されている。従って、パレットＰＴの開口Ｐ６は、パレットＰＢの上面ＰＳにより機械的に塞がれることとなる。このように、乾燥対象のパレットＰＴの下面の開口Ｐ６が塞がれた状態で、フォーク差し込み穴Ｐ４に向けて熱風が発生されるので、フォーク差し込み穴Ｐ４の内部に吹き込まれた熱風は、開口Ｐ６から排出されない。これにより、フォーク差し込み穴Ｐ４の内部の乾燥が促進される。また、スタッカ４において、乾燥対象のパレットＰＴの下段に段積みされたパレットＰＢによりパレットＰＴの開口Ｐ６が機械的に塞がれるので、パレットＰの取り扱いのために通常に用いられる装置の他に特段の構成を必要とすることなく、パレットＰＴの下面の開口Ｐ６が確実に塞がれる。
【００３６】
本実施形態のパレット乾燥装置１は、スタッカ４に代えてリフタをパレット載置手段として備えることができる。図７（ａ）は、リフタ６に載置されたパレットＰＴを、フォーク差し込み穴Ｐ４の貫通方向に沿って見た側面図である。図７（ｂ）は、リフタ６に載置されたパレットＰＴを、フォーク差し込み穴Ｐ４の貫通方向と直行する方向に沿って見た側面図である。
【００３７】
リフタ６は、載置されたパレットを任意の位置に上昇させる装置である。なお、本実施形態のリフタ６は、当業者において周知のリフタにより構成されることが可能であって、図示した態様のものに限定されない。図７に示すように、リフタ６は、パレットが載置される載置面６０Ｓを有するテーブル部６０と、テーブル部６０を昇降可能な動力源６１とを有する。
【００３８】
また、図７に示すように、乾燥対象のパレットＰＴは、テーブル部６０の載置面６０Ｓ上に載置される。従って、パレットＰＴの開口Ｐ６は、テーブル部６０の載置面６０Ｓにより機械的に塞がれることとなる。このように、乾燥対象のパレットＰＴの下面の開口Ｐ６が塞がれた状態で、フォーク差し込み穴Ｐ４に向けて熱風が発生されるので、フォーク差し込み穴Ｐ４の内部に吹き込まれた熱風は、開口Ｐ６から排出されない。これにより、フォーク差し込み穴Ｐ４の内部の乾燥が促進される。また、乾燥対象のパレットＰＴが載置されたリフタ６のテーブル部６０によりパレットＰＴの開口Ｐ６が機械的に塞がれるので、パレットＰの取り扱いのために通常に用いられる装置の他に特段の構成を必要とすることなく、パレットＰＴの下面の開口Ｐ６が確実に塞がれる。
【００３９】
続いて、本実施形態のパレット乾燥装置１を含むパレット洗浄装置について説明する。図８は、パレット洗浄装置１００の斜視図である。パレット洗浄装置１００は、図８に示すように、パレットを水洗する洗浄部として、側面シャワーＳ１、ミストシャワーＳ２を備える。
【００４０】
側面シャワーＳ１は、パレットＰの側面及びフォーク差し込み穴Ｐ４の内部を水洗するための装置であって、パレットＰの側方より水を噴射する。ミストシャワーＳ２は、パレットＰのデッキ部を水洗するための装置であって、パレットＰの上方から水を噴射すると共に、同位置に設けられたブラシによりパレットの汚れを除去する。
【００４１】
また、パレット洗浄装置１００は、パレットＰに残留した水の除去手段として、天面脱水ワイパーＷ１、高圧ブロワＢ１，Ｂ２，Ｂ３及び裏面脱水ワイパーＷ２を備える。更に、パレット洗浄装置１００は、パレットＰを洗浄部から上記水の除去手段及びパレット乾燥装置１に搬送する搬送部として、コンベアＣを備える。
【００４２】
天面脱水ワイパーＷ１及び裏面脱水ワイパーＷ２は、パレットＰの天面側のデッキ部及び裏面側のデッキ部に残留した水を除去する。また、高圧ブロワＢ１，Ｂ２，Ｂ３は、高圧の空気をパレットに吹きつけることによりパレットＰに残留した水を除去する装置であって、それぞれパレットの上面、下面、側面に高圧の空気を吹きつける。
【００４３】
高圧ブロワＢ３は、フォーク差し込み穴Ｐ４の内部の水を除去するために設けられている。しかしながら、高圧ブロワＢ３は、フォーク差し込み穴Ｐ４の内部の水を十分に除去できない。本実施形態のパレット洗浄装置１００では、洗浄部の後段にパレット乾燥装置１が設けられているので、フォーク差し込み穴Ｐ４の内部に残留した水を十分に除去することができる。
【００４４】
なお、パレット洗浄装置１００におけるパレット乾燥装置１の後段に、その他の工程を実施するための装置等が設けられることとしてもよい。例えば、パレットＰの破損等を点検するためのライン等をパレット乾燥装置１に後段に設けることができる。
【００４５】
以上説明したように、本実施形態のパレット乾燥装置１及びパレット乾燥方法では、乾燥対象のパレットＰは、下面の開口Ｐ６が塞がれた状態で載置されると共にフォーク差し込み穴に向けて熱風が発生されるので、フォーク差し込み穴Ｐ４の内部に吹き込まれた熱風は、開口Ｐ６から排出されない。これにより、フォーク差し込み穴Ｐ４の内部の乾燥が促進される。また、パレットＰに向けて発生される熱風は、パレットＰ全体ではなく、フォーク差し込み穴Ｐ４に向けて発生されるので、熱風を発生させるための装置の小型化が可能になる。従って、熱風の発生のためのエネルギー及びコストを削減できる。
【符号の説明】
【００４６】
１…パレット乾燥装置、２…送風手段、４…スタッカ、６…リフタ、２０…熱風発生装置、２１…ダクト、４０…パレット段積み部、４１…パレット受入部、６０…テーブル部、６０Ｓ…載置面、６１…動力源、１００…パレット洗浄装置、Ｐ，ＰＴ，ＰＢ…パレット、Ｐ３…側面、Ｐ４…フォーク差し込み穴、Ｐ６…開口、ＰＳ…上面。
【図１】
2012160685.tif 000003
【図２】
2012160685.tif 000004
【図３】
2012160685.tif 000005
【図４】
2012160685.tif 000006
【図５】
2012160685.tif 000007
【図６】
2012160685.tif 000008
【図７】
2012160685.tif 000009
【図８】
2012160685.tif 000010
【国際調査報告】
2012160685.tif 000011
2012160685.tif 000012